(57)【要約】【課題】本発明は、濾過性能の低下が抑制されるフィルタ部材を提供する。【解決手段】フィルタ部材３３は、主濾過部３６と、副濾過部３７とを備える。主濾過部３６は、濾過すべき液Ｌ１が流入する外面３６ｅを有する。外面３６ｅにおいて、主流れ流入部３６ｇに、凹部３９を形成する。副濾過部３７は、外面３６ｅに設けられて凹部３９の開口３９ａを遮る。副濾過部３７は、主濾過部３６よりも濾過性能が低い。【選択図】      図４
2006136769.tif 000002
【特許請求の範囲】
【請求項１】
濾過すべき液が流入する流入部を有し、前記流入部において少なくとも前記濾過すべき液の主流れが流入する部位に凹部が形成される主濾過部と、
前記流入部に設けられて前記凹部の開口を遮る副濾過部であって、前記主濾過部よりも濾過性能が低い副濾過部と、
を具備するフィルタ部材。
【請求項２】
請求項１の記載において、
前記流入部は、前記主濾過部の外面に形成されることを特徴とするフィルタ部材。
【請求項３】
請求項１の記載において、
前記主濾過部は、筒状であって、内面に前記流入部が形成されることを特徴とするフィルタ部材。
【請求項４】
請求項１から請求項３のうちのいずれか１項の記載において、
前記副濾過部は、透視性を有することを特徴とするフィルタ部材。
【請求項５】
請求項４の記載において、
前記副濾過部は、樹脂で形成されることを特徴とするフィルタ部材。
【請求項６】
濾過すべき液を濾過するフィルタ部材を具備し、前記濾過すべき液の流路中に設けられるフィルタエレメントであって、
前記フィルタ部材は、
濾過すべき液が流入する流入部を有し、前記流入部において少なくとも前記濾過すべき液の主流れが流入する部位に凹部が形成される主濾過部と、
前記流入部に設けられて前記凹部の開口を遮る副濾過部であって、前記主濾過部よりも濾過性能が低い副濾過部と、
を具備することを特徴とするフィルタエレメント。
【請求項７】
請求項６の記載において、
前記流入部は、前記主濾過部の外面に形成されることを特徴とするフィルタエレメント。
【請求項８】
請求項６の記載において、
前記主濾過部は、筒状であって、前記流入部は、前記主濾過部の内面に形成されることを特徴とするフィルタエレメント。
【請求項９】
請求項６から請求項８のうちのいずれか１項の記載において、
前記フィルタ部材を内側に収容するハウジングであって、前記濾過すべき液が通過可能な孔が外壁に形成されるハウジングを具備することを特徴とするフィルタエレメント。
【請求項１０】
請求項７の記載において、
前記副濾過部が最も外側に位置することを特徴とするフィルタエレメント。
【発明の詳細な説明】
【技術分野】
【０００１】
本発明は、例えば油圧機械の作動油循環系に設けられ、作動油などの濾過すべき液を濾過するフィルタ部材およびフィルタ部材を備えるフィルタエレメントに関する。
【背景技術】
【０００２】
例えば油圧機械では、作動油などの濾過すべき液の循環系に、フィルタエレメントが設けられている。フィルタエレメントは、フィルタ部材を備えている。フィルタ部材は、濾過すべき液を濾過する。濾過すべき液は、フィルタ部材を通過する際に濾過される（例えば、特許文献１参照。）。
【特許文献１】特開２００１−１７０４２２号公報
【発明の開示】
【発明が解決しようとする課題】
【０００３】
しかし、フィルタエレメントが設けられる油圧機械によっては、濾過すべき液の流速が速い場合がある。このような油圧機械では、濾過すべき液の一部がフィルタ部材に突き当たる。そして、フィルタ部材において濾過すべき液が突き当たった部位に、強い衝撃が入力される。この衝撃は、フィルタ部材を破損することが考えられる。
【０００４】
フィルタ部材は、破損すると、濾過すべき液を充分に濾過することができなくなる。つまり、フィルタ部材の濾過性能は、低下する。それゆえ、フィルタ部材の破損は、フィルタエレメントが設けられる油圧機械に不具合を生じる原因になることが考えられる。
【０００５】
したがって、本発明の目的は、濾過性能の低下が抑制されるフィルタ部材を提供することにある。
【０００６】
本発明の他の目的は、前記フィルタ部材を備えるフィルタエレメントを提供することにある。
【課題を解決するための手段】
【０００７】
本発明のフィルタ部材は、主濾過部と、副濾過部とを備える。主濾過部は、濾過すべき液が流入する流入部を有する。流入部において、少なくとも濾過すべき液の主流れが流入する部位に、凹部を形成する。副濾過部は、流入部に設けられて凹部の開口を遮る。副濾過部は、主濾過部よりも濾過性能が低い。
【０００８】
なお、濾過すべき液の主流れとは、濾過すべき液の流れのうち、フィルタ部材に突き当たる流れである。
【０００９】
このように構成されるフィルタ部材では、主流れは、副濾過部を通過する際に拡散される。副濾過部によって拡散された主流れは、凹部内を進む過程でさらに拡散される。主流れの勢いは、主流れが主濾過部に到達する時点では、充分に弱まる。このため、主濾過部は、濾過すべき液の主流れによって破損することが抑制される。
【００１０】
この発明の好ましい形態では、流入部を主濾過部の外面に形成する。
【００１１】
この発明の好ましい形態では、主濾過部は、筒状である。流入部を主濾過部の内面に形成する。
【００１２】
この発明の好ましい形態では、副濾過部は、透視性を有する。
【００１３】
この発明の好ましい形態では、副濾過部を樹脂で形成する。
【００１４】
本発明のフィルタエレメントは、濾過すべき液を濾過するフィルタ部材を備え、濾過すべき液の流路中に設けられる。
【００１５】
フィルタ部材は、主濾過部と、副濾過部とを備える。主濾過部は、濾過すべき液が流入する流入部を有する。流入部において少なくとも濾過すべき液の主流れが流入する部位に、凹部を形成する。
【００１６】
副濾過部は、流入部に設けられて凹部の開口を遮る。副濾過部は、主濾過部よりも濾過性能が低い。
【００１７】
このように構成されるフィルタ部材を備えるフィルタエレメントでは、主流れは、副濾過部を通過する際に拡散される。副濾過部によって拡散された主流れは、凹部内を進む過程でさらに拡散される。主流れの勢いは、主流れが主濾過部に到達する時点では、充分に弱まる。このため、主濾過部は、濾過すべき液の主流れによって破損することが抑制される。
【００１８】
この発明の好ましい形態では、流入部を主濾過部の外面に形成する。
【００１９】
この発明の好ましい形態では、主濾過部は、筒状である。流入部を主濾過部の内面に形成する。
【００２０】
この発明の好ましい形態では、フィルタエレメントは、さらに、ハウジングを備える。ハウジングは、内側にフィルタ部材を収容する。ハウジングの外壁に、濾過すべき液が通過可能な孔を形成する。
【００２１】
この発明の好ましい形態では、副濾過部を最も外側に位置させる。
【発明の効果】
【００２２】
本発明のフィルタ部材によれば、濾過すべき液の主流れの勢いは、主濾過部に到達する時点では、充分に弱まる。それゆえ、濾過すべき液の主流れによって、主濾過部が破損することが抑制される。このため、フィルタ部材の濾過性能は、低下することが抑制される。
【００２３】
本発明のフィルタエレメントによれば、濾過すべき液の主流れの勢いは、主濾過部に到達する時点では、充分に弱まる。それゆえ、濾過すべき液の主流れによって、主濾過部が破損することが抑制される。このため、フィルタ部材の濾過性能は、低下することが抑制される。
【発明を実施するための最良の形態】
【００２４】
本発明の第１の実施形態に係るフィルタエレメントを、図１から図４を参照して説明する。
【００２５】
図１は、濾過装置１０が循環回路２０に組み込まれている状態を示している。循環回路２０は、例えば油圧アクチュエータに用いられる作動油などの濾過すべき液Ｌ１が循環している。循環回路２０は、本発明で言う、濾過すべき液Ｌ１の流路の一例である。濾過装置１０は、濾過すべき液Ｌ１を濾過する。濾過装置１０は、フィルタエレメント３０と、第１の蓋５０とを備えている。
【００２６】
図２は、フィルタエレメント３０を、一部切り欠いて示している。図２に示すように、フィルタエレメント３０は、外側筒部材３１と、内側筒部材３２と、フィルタ部材３３と、第１のプレート３４と、第２のプレート３５とを備えている。
【００２７】
外側筒部材３１は、例えば円筒形状である。外側筒部材３１の側壁３１ａの略全域には、複数の第１の孔３１ｂが形成されている。第１の孔３１ｂは、外側筒部材３１の外側と内側とを連通している。側壁３１ａは、本発明で言う、外壁の一例である。
【００２８】
なお、図２中では、第１の孔３１ｂは、側壁３１ａの一部にしか示されていないが、実際は、側壁３１ａの略全域に形成されている。外側筒部材３１は、本発明で言う、ハウジングの一例である。第１の孔３１ｂは、本発明で言う、孔の一例である。
【００２９】
内側筒部材３２は、外側筒部材３１の内側に収容されている。内側筒部材３２は、例えば外側筒部材３１よりも小さい径を有する略円筒状である。内側筒部材３２の高さは、外側筒部材３１の高さと略同じである。
【００３０】
内側筒部材３２の側壁３２ａの略全域には、複数の第２の孔３２ｂが形成されている。第２の孔３２ｂは、内側筒部材３２の外側と内側とを連通している。なお、図２中では、第２の孔３２ｂは、側壁３２ａの一部にしか示されていないが、実際は、側壁３２ａの略全域に形成されている。
【００３１】
フィルタ部材３３は、主濾過部３６と、副濾過部３７とを備えている。
【００３２】
主濾過部３６は、シート状の主濾材３６ａから形成されている。具体的に説明すると、主濾過部３６は、主濾材３６ａをひだ折りにした後に、該主濾材３６ａを円筒状に丸めることによって、形成されている。
【００３３】
これにより、主濾過部３６の形状は、略円筒プリーツ状である。主濾過部３６の高さは、外側筒部材３１と略同じである。主濾材３６ａには、例えば合成樹脂や紙パルプなどが用いられる。
【００３４】
主濾過部３６の外周には、複数のバンド部材３８が巻き付けられている。主濾過部３６は、バンド部材３８が巻き付けられることによって、外側に広がることが抑制されている。つまり、バンド部材３８は、主濾過部３６の形状を、略円筒プリーツ状に維持している。
【００３５】
主濾過部３６は、主濾材３６ａがひだ折りにされることによって形成されているため、複数の山部３６ｂと複数の谷部３６ｃとを有している。図３は、図１中に示したＦ３−Ｆ３線に沿って示す断面図である。
【００３６】
図３に示すように、山部３６ｂは、主濾過部３６の外側の折り目である。谷部３６ｃは、主濾過部３６の内側の折り目である。
【００３７】
図４は、図３中に示されるＦ４を拡大して示している。図４に示すように、隣接する一対の山部３６ｂと、それら一対の山部３６ｂの間に位置する谷部３６ｃとによって、凹部３９が規定されている。
【００３８】
凹部３９は、開口３９ａを有している。開口３９ａは、隣接する山部３６ｂ間に規定される。それゆえ、凹部３９は、主濾過部３６の全周に形成されている。そして、各開口３９ａは、主濾過部３６の外側に向かって開口している。
【００３９】
図２に示すように、副濾過部３７は、シート状の副濾材３７ａによって形成されている。具体的に説明すると、副濾過部３７は、副濾材３７ａが主濾過部３６の外周の略全域に巻き付けられることによって、主濾過部３６の外側に設けられている。副濾材３７ａは、樹脂製のメッシュ材である。副濾材３７ａは、透明である。それゆえ、副濾過部３７は、透明である。図３に示すように、副濾過部３７は、主濾過部３６の各凹部３９の開口３９ａを遮っている。
【００４０】
前記した構成により、図２に示すように、フィルタ部材３３は、略円筒状に形成される。フィルタ部材３３は、外側筒部材３１と内側筒部材３２とに略同軸に、かつ側壁部３３ａが外側筒部材３１の側壁３１ａと内側筒部材３２の側壁３２ａとの間に介在するように配置される。フィルタ部材３３の側壁部３３ａとは、主濾過部３６の側壁３６ｄと副濾過部３７の側壁３７ｂとから構成される。
【００４１】
フィルタ部材３３は、濾過機能を有している。後述するように、濾過すべき液Ｌ１は、フィルタ部材３３の側壁部３３ａを外側から内側へ通過する。その際、濾過すべき液Ｌ１中の不純物は、副濾過部３７と主濾過部３６とによって除去される。
【００４２】
なお、副濾材３７ａは、メッシュ状であるので、濾過すべき液Ｌ１が通過すると、濾過すべき液Ｌ１中の不純物は、除去される。副濾過部３７の濾過性能は、主濾過部３６の濾過性能よりも低く設定されている。
【００４３】
第１のプレート３４は、例えば円板状である。図１に示すように、第１のプレート３４は、外側筒部材３１と、内側筒部材３２と、フィルタ部材３３とのそれぞれの一端が固定されている。
【００４４】
第１のプレート３４において、内側筒部材３２の内側に対応する部位には、第３の孔３４ａが形成されている。第３の孔３４ａは、第１のプレート３４を貫通している。
【００４５】
第２のプレート３５は、例えば円板状である。第２のプレート３５は、外側筒部材３１と、内側筒部材３２と、フィルタ部材３３とのそれぞれの他端が固定されている。第２のプレート３５において、内側筒部材３２の内側と対向する部位には、第４の孔３５ａが形成されている。第４の孔３５ａは、第２のプレート３５を貫通している。
【００４６】
前記した構成により、外側筒部材３１と、内側筒部材３２と、フィルタ部材３３と、第１のプレート３４と、第２のプレート３５とが一体化されている。
【００４７】
つぎに、第１の蓋５０の一例を説明する。第１の蓋５０は、本体部５１と、取手部５２と、嵌合部５３とを有している。本体部５１は、板状である。本体部５１は、第２のプレート３５の第４の孔３５ａを覆う大きさを有している。取手部５２は、本体部５１の一端面５１ａに設けられている。取手部５２は、例えば作業員が濾過装置１０を持つ際に、作業員が握る部位である。
【００４８】
嵌合部５３は、本体部５１の他端面５１ｂに設けられている。嵌合部５３は、第４の孔３５ａと嵌合する大きさを有している。嵌合部５３は、本体部５１が第４の孔３５ａを覆った状態で第４の孔３５ａに嵌合する。
【００４９】
第１の蓋５０は、第２のプレート３５の外面３５ｂに取り付けられる。その際、嵌合部５３が第４の孔３５ａに嵌合する。嵌合部５３は、第４の孔３５ａに嵌合することによって、第４の孔３５ａの縁に締め付けられる。これにより、第１の蓋５０は、第２のプレート３５に固定される。そして、第１の蓋５０は、第４の孔３５ａを液密に塞ぐ。
【００５０】
つぎに、循環回路２０の一例を説明する。図１に示すように、循環回路２０は、収容部２１を備えている。収容部２１は、例えば上方が開口する凹状である。収容部２１の開口は、第２の蓋２２によって液密に塞がれる。第２の蓋２２は、例えばボルト２３などによって、収容部２１に固定されている。
【００５１】
収容部２１内には、濾過装置１０が収容される。収容部２１内に濾過装置１０が収容された状態において、第１の蓋５０と第２の蓋２２との間には、ばね２４が設けられる。濾過装置１０は、収容部２１に収容されると、ばね２４によって下方に付勢される。濾過装置１０は、付勢されることによって、収容部２１の底壁２１ａに押付けられる。それゆえ、濾過装置１０は、収容部２１内での姿勢が維持される。
【００５２】
収容部２１の底壁２１ａにおいて、第４の孔３５ａと対向する部位には、出口部２５が設けられている。第１のプレート３４の外面３４ｂにおいて、第３の孔３４ａの周囲には、シール部２６が設けられている。濾過装置１０が収容部２１内に収容されると、シール部２６は、収容部２１の底壁２１ａに押付けられることによって、出口部２５と第３の孔３４ａとを液密にシールしている。
【００５３】
収容部２１の側壁２８には、入口部２７が設けられている。入口部２７は、収容部２１内に開口している。濾過すべき液Ｌ１は、入口部２７から収容部２１内へ流入する。濾過装置１０によって濾過された濾過後の液Ｌ２は、出口部２５から流出する。
【００５４】
つぎに、濾過装置１０の動作を説明する。
【００５５】
図１に示すように、濾過すべき液Ｌ１は、入口部２７から収容部２１の内側へ流入する。このとき、入口部２７から流入した濾過すべき液Ｌ１の主流れ１は、矢印で示すように、外側筒部材３１の外面３１ｃのうち、対向部３１ｄに突き当たる。
【００５６】
対向部３１ｄは、外側筒部材３１の外面３１ｃにおいて、主流れ１が突き当たる部位である。本実施の形態では、対向部３１ｄは、入口部２７と対向している。
【００５７】
主流れ１は、入口部２７から流入する濾過すべき液Ｌ１の流れのうち、流入するときの勢いによって、フィルタ部材３３に突き当たる流れである。
【００５８】
主流れ１の一部１ａは、対向部３１ｄ近傍の第１の孔３１ｂを通って、外側筒部材３１の内側へ流入する。図４に示すように、第１の孔３１ｂを通過した濾過すべき液Ｌ１の主流れ１の一部１ａは、副濾過部３７の外面３７ｃに突き当たる。
【００５９】
副濾過部３７は、メッシュ状の副濾材３７ａから形成されている。このため、副濾過部３７の外面３７ｃに突き当たった主流れ１の一部１ａは、側壁３７ｂを通過する過程で、濾過される。また、副濾過部３７の外面３７ｃに突き当たった主流れ１の一部１ａは、副濾過部３７の網目によって流れる方向が拡散される。
【００６０】
副濾過部３７を通過した主流れ１の一部１ａは、凹部３９内に進入する。主流れ１の一部１ａは、凹部３９内を進む過程でより拡散される。それゆえ、主流れ１の一部１ａの勢いは、主濾過部３６の側壁３６ｄの外面３６ｅにおいて、主流れ流入部３６ｇに到達するころには、充分に弱まる。
【００６１】
主流れ流入部３６ｇは、主濾過部３６において、主流れ１が流入する部位である。図３に示すように、主流れ流入部３６ｇは、主流れ１が流入する部位の全体を示している。主流れ流入部３６ｇは、対向部３１ｄと、略向かい合う部位である。主流れ流入部３６ｇは、本発明で言う、濾過すべき液の主流れが流入する部位である。
【００６２】
主濾過部３６の外面３６ｅに到達した濾過すべき液Ｌ１は、外面３６ｅから内側に向かって進入する。主濾過部３６の外面３６ｅは、本発明で言う、流入部として機能する。濾過すべき液Ｌ１は、主濾過部３６の側壁３６ｄを通過することによって、さらに濾過される。
【００６３】
一方、濾過すべき液Ｌ１のうち、例えば外側筒部材３１の外面３１ｃに突き当たった後、跳ね返された液などは、収容部２１内を満たす。収容部２１に溜まった濾過すべき液Ｌ１は、濾過装置１０の内側へ侵入する。収容部２１に溜まった濾過すべき液Ｌ１の勢いは、充分弱まっている。それゆえ、収容部２１に溜まった濾過すべき液Ｌ１は、外側筒部材３１および副濾過部３７に突き当たることはない。
【００６４】
収容部２１に溜まった濾過すべき液Ｌ１は、副濾過部３７を通過する過程で濾過された後、主濾過部３６に到達する。収容部２１を満たした液も、前記したように、主濾過部３６を通過する過程でさらに濾過される。
【００６５】
図１に示すように、主濾過部３６によって濾過された濾過後の液Ｌ２は、内側筒部材３２の内側に出る。濾過後の液Ｌ２は、出口部２５から出る。濾過後の液Ｌ２は、循環回路２０を循環する。そして、濾後の液Ｌ２は、循環回路２０を循環する過程で不純物を含むようになり、再び収容部２１に戻される。
【００６６】
外側筒部材３１は、フィルタエレメント３０が搭載される機器の振動によって、フィルタ部材３３が収容部２１の側壁２８に接触することを防ぐ。
【００６７】
このように構成される濾過装置１０では、主濾過部３６において主流れ流入部３６ｇには、凹部３９が形成されている。そして、副濾過部３７は、副濾材３７ａが主濾過部３６に巻き付けられことによって、主濾過部３６の外側に設けられている。副濾過部３７は、凹部３９の開口３９ａを遮る。
【００６８】
主流れ１は、副濾過部３７に突き当たり、かつ副濾過部３７を通過することによって拡散される。そして、副濾過部３７を通過した主流れ１は、凹部３９内を進むことによって、さらに拡散される。それゆえ、主濾過部３６に到達した主流れ１の勢いは、充分に弱まる。
【００６９】
このため、主濾過部３６が主流れ３７の勢いによって破損することが抑制される。つまり、フィルタ部材３３の濾過性能が低下することが抑制される。
【００７０】
また、主濾過部３６は、略円筒プリーツ状に形成されている。そして、濾過すべき液Ｌ１は、主濾過部３６の外面３６ｅから流入する。それゆえ、濾過すべき液Ｌ１中の不純物は、主に副濾過部３７の外面３７ｃと、主濾過部３６の外面３６ｅとに付着する。それゆえ、フィルタ部材３３の汚れ具合を確認しやすい。
【００７１】
また、副濾過部３７は、透明である。つまり、副濾過部３７越しに主濾過部３６を見ることができる。それゆえ、主濾過部３６の汚れ具合を一層確認しやすい。
【００７２】
また、副濾材３７ａは、樹脂製である。それゆえ、副濾過部３７を透明にしやすい。
【００７３】
また、フィルタエレメント３０は、外側筒部材３１を備えている。外側筒部材３１は、フィルタ部材３３が収容部２１の側壁２８に接触することを防いでいる。つまり、外側筒部材３１は、側壁２８と接触することによってフィルタ部材３３が破損することを防いでいる。このため、濾過装置１０が搭載される機器の振動が大きい場合であっても、濾過装置１０を搭載することができる。このように、外側筒部材３１がある場合にも、本発明は有効である。
【００７４】
また、本実施形態では、主濾過部３６は、略円筒プリーツ状である。そして、副濾過部３７は、主濾過部３６の外面３６ｅの略全域に副濾材３７ａが巻き付けられることによって、主濾過部３６の外側に設けられている。
【００７５】
それゆえ、濾過装置１０を、収容部２１内に収容した場合、凹部３９は、主流れ１と必ず対向する。つまり、濾過装置１０を収容部２１内に収容する際に、濾過装置１０の姿勢を調整する必要がない。このため、濾過装置１０の収容作業の効率が向上する。
【００７６】
つぎに、本発明の第２の実施形態に係るフィルタエレメント３０を、図５を参照して説明する。なお、第１の実施形態と同様な機能を有する構成については、同一の符号を付して説明を省略する。第２の実施形態は、濾過装置１０が搭載される機器の振動が比較的小さい場合である。
【００７７】
第２の実施形態に係るフィルタエレメント３０では、濾過装置１０が搭載される機器の振動が比較的小さいため、フィルタ部材３３が収容部２１の側壁２８に接触することがない。
【００７８】
このため、第２の実施形態に係るフィルタエレメント３０の構成は、第１の実施形態に示されたフィルタエレメント３０から外側筒部材３１を除いた構成である。それゆえ、図５に示すように、第２の実施形態に係るフィルタエレメント３０は、副濾過部３７が最も外側に位置する。
【００７９】
このような構成のフィルタエレメント３０であっても、主流れ１は、副濾過部３７に突き当たり、かつ副濾過部３７を通過することによって拡散される。つまり、主流れ１によって主濾過部３６が破損することが抑制される。
【００８０】
このため、第２の実施形態の濾過装置１０は、第１の実施形態と同様な効果を得ることができる。このように、外側筒部材３１がない場合にも、本発明は有効である。
【００８１】
また、本実施形態のように、濾過装置１０が搭載される機器の振動が比較的小さい場合では、振動によってフィルタ部材３３が収容部２１の側壁２８に接触することがないので、外側筒部材３１を除くことができる。このため、フィルタエレメント３０の部品点数が削減される。つまり、フィルタエレメント３０のコストは、削減される。
【００８２】
つぎに、本発明の第３の実施形態に係るフィルタエレメント３０を、図６から図８を参照して説明する。なお、第１の実施形態と同様な機能を有する構成については、同一の符号を付して説明を省略する。
【００８３】
図６に示すように、第３の実施形態の濾過装置１０では、濾過すべき液Ｌ１は、フィルタエレメント３０を内側から外側に向かって通過する。それゆえ、第３の実施形態では、主濾過部３６の内面３６ｆが、本発明で言う、流入部として機能する。
【００８４】
図８は、第３の実施形態のフィルタ部材３３を、フィルタ部材３３の長手方向を垂直に横切る線で断面にした断面を示している。図７と図８とに示すように、第３の実施形態のフィルタエレメント３０では、凹部３９は、隣接する一対の谷部３６ｃと、それら谷部３６ｃ間の山部３６ｂとによって規定されている。開口３９ａは、隣り合う谷部３６ｃどうしによって規定されている。
【００８５】
図７に示すように、第３の実施形態のフィルタエレメント３０の構成は、第１の実施形態で示されたフィルタエレメント３０から内側筒部材３２が除かれた構成である。副濾過部３７は、主濾過部３６の内側において、各谷部３６ｃに接するように副濾材３７ａが敷き詰められることによって、主濾過部３６の内側に設けられている。
【００８６】
第３の実施形態の循環回路２０を説明する。第３の実施形態の循環回路２０は、収容部２１の底壁２１ａに、入口部２７が設けられている。濾過装置１０が収容部２１に収容された状態において、第４の孔３５ａは、入口部２７と連通している。シール部２６は、第４の孔３５ａと入口部２７とをシールしている。収容部２１の側壁２８には、出口部２５が設けられている。
【００８７】
第３の実施形態の濾過装置１０の動作を説明する。図６に示すように、濾過すべき液Ｌ１は、入口部２７から内側筒部材３２の内側へ流入する。濾過すべき液Ｌ１の主流れ１は、副濾過部３７の内面３７ｄに突き当たる。主流れ１は、例えば副濾過部３７の内面３７ｄに略均等に突き当たる。このため、第３の実施形態では、主濾過部３６の内面３６ｆｄは、濾過すべき液の主流れが流入する部位となる。
【００８８】
図８に示すように、副濾過部３７の内面３７ｄに突き当たった主流れ１は、副濾過部３７を通過する過程で濾過される。そして、主流れ１の流れ方向は、副濾過部３７によって拡散される。副濾過部３７を通過した主流れ１は、凹部３９内に進入する。
【００８９】
主流れ１は、凹部３９内を進むことによって、さらに拡散される。それゆえ、主流れ１の勢いは、主濾過部３６の内面３６ｆに到達する時点では、充分に弱められる。
【００９０】
主濾過部３６の内面３６ｆに到達した濾過すべき液Ｌ１は、主濾過部３６を通過する過程で、さらに濾過される。図６に示すように、主濾過部３６によって濾過された濾過後の液Ｌ２は、出口部２５から出る。
【００９１】
本実施形態のように構成される濾過装置１０のように、濾過すべき液Ｌ１が主濾過部３６の内面３６ｆから外面３６ｅへ向かって通過する場合であっても、濾過すべき液Ｌ１の勢いは、主濾過部３６の内面３６ｆに到達する時点では、充分に弱められる。
【００９２】
このため、第３の実施形態の濾過装置１０では、主流れ１によって主濾過部３６が破損することが抑制される。つまり、フィルタエレメント３０の濾過性能が低下することが抑制される。
【００９３】
なお、第３の実施形態では、内側筒部材３２を備えていな。しかし、これに限定されるものではない。例えば、第１の実施形態に示したように、内側筒部材３２を備えていてもよい。
【００９４】
第１〜３の実施形態において、副濾材３７ａは、樹脂性である。しかし、これに限定されるものではない。例えば、副濾材３７ａは、金属製であってもよい。
【００９５】
また、第１，２の実施形態では、凹部３９は、主濾過部３６の外面３６ｅの全面に形成されているが、これに限定されるものではない。例えば、凹部３９は、主流れ流入部３６ｇの近傍に形成されるようにしてもよい。つまり、主濾過部３６は、主濾材３６ａが部分的にひだ折りにされることによって設けられてもよい。この場合、濾過装置１０は、ひだ折りにされた部分が主流れ流入部３６ｇとなるように、収容部２１内に収容される。
【図面の簡単な説明】
【００９６】
【図１】本発明の第１の実施形態に係る濾過装置を一部切り欠いて示す断面図。
【図２】図1に示されたフィルタエレメントを一部切り欠いて示す斜視図。
【図３】図１に示されたＦ３−Ｆ３線に沿って示す断面図。
【図４】図３に示されたＦ４を拡大して示す断面図。
【図５】本発明の第２の実施形態に係るフィルタエレメントを一部切り欠いて示す斜視図。
【図６】本発明の第３の実施形態に係る濾過装置を一部切り欠いて示す断面図。
【図７】図６に示されたフィルタエレメントを一部切り欠いて示す斜視図。
【図８】図６に示されたフィルタ部材の長手方向を横切る断面図。
【符号の説明】
【００９７】
１０…濾過装置、２０…循環回路（濾過すべき液の流路）、３０…フィルタエレメント、３１…外側筒部材（ハウジング）、３１ａ…側壁（外壁）、３１ｂ…第１の孔（孔）、３３…フィルタ部材、３６…主濾過部、３６ｅ…外面（流入部）、３６ｇ…主流れ流入部（濾過すべき液の主流れが流入する部位）、３６ｆ…内面（流入部、濾過すべき液の主流れが流入する部位）、３７…副濾過部、３９…凹部、３９ａ…開口、Ｌ１…濾過すべき液。
【図１】
2006136769.tif 000003
【図２】
2006136769.tif 000004
【図３】
2006136769.tif 000005
【図４】
2006136769.tif 000006
【図５】
2006136769.tif 000007
【図６】
2006136769.tif 000008
【図７】
2006136769.tif 000009
【図８】
2006136769.tif 000010